(57)【要約】      （修正有）【課題】わずかの構造の改変で、従来のカレンダー機構の代わりに挿入するのが容易であるような非常に信頼できる万年暦機構を提供する。【解決手段】計時器用ムーブメントを有する計時器用の万年暦１００であって、日付が変わる時点における万年レバー２を作動させる機構の日毎の解放を制御するものであり、現在の月の期間を決め現在の月が変わるごとに更新されるカレンダー機構７００と、月末調整機構６００を有する日毎カウントダウン機構３００と、及び毎日日付が変わる時点において月末調整機構６００が備える付加的調整カム２０の運動を制御する差動機構５００とを有する。【選択図】図１
2016080700.tif 000002
【特許請求の範囲】
【請求項１】
計時器用ムーブメント（２００）を有する計時器（１０００）用の万年暦機構（１００）であって、
日付が変わる時点における当該万年暦機構（１００）が備える万年レバー（２）を作動させる機構の日毎の解放を制御するように構成し、
当該万年暦機構（１００）は、カレンダー機構（７００）と、月末調整機構（６００）を有する日毎カウントダウン機構（３００）と、及び差動機構（５００）とを有し、
前記カレンダー機構（７００）は、現在の月の期間を決めるように構成し、前記日毎カウントダウン機構（３００）によって現在の月が変わるごとに更新され、
前記差動機構（５００）は、毎日日付が変わる時点において、前記日毎カウントダウン機構（３００）から得られた現在の日についての情報及び前記カレンダー機構（７００）から得られた現在の月の期間についての情報に基づいて、前記月末調整機構（６００）が備える付加的調整カム（２０）の運動を制御するように構成する
ことを特徴とする万年暦機構（１００）。
【請求項２】
前記差動機構は、前記カレンダー機構（７００）が備える月カム（９）上の現在の月の期間を測定するための読み取り用フィーラスピンドル（５３）を有する読み取り用リフティングレバー（３）を備え、
前記読み取り用リフティングレバー（３）は、前記差動機構（５００）の第１の入力を形成し、
前記差動機構（５００）の第２の入力は、前記日毎カウントダウン機構（３００）が備える三十一車（３１）で形成され、この三十一車（３１）は、前記日毎カウントダウン機構（３００）が備えるメインフィンガー（１）によって位置が合わされ、
毎日日付が変わる時点において前記万年レバー（２）によって操作されて、これによって、前記差動機構（５００）の出力において前記付加的カム（２０）の角位置を制御する
ことを特徴とする請求項１に記載の万年暦機構（１００）。
【請求項３】
前記月末調整機構（６００）は、前記メインフィンガー（１）のように毎日日付変わる時点において前記万年レバー（２）によって操作される付加的フィンガー（１０）を有し、
この付加的フィンガー（１０）は、前記付加的カム（２０）の特定の角位置において、前記付加的カム（２０）が備える半径方向のランプ（２３）と当接連係するように構成する
ことを特徴とする請求項２に記載の万年暦機構（１００）。
【請求項４】
前記月末調整機構（６００）は、安全機構を有し、この安全機構は、前記三十一車（３１）の特定の角位置において、前記付加的フィンガー（１０）による前記付加的カム（２０）へのアクセスを可能として、そして、前記三十一車（３１）の他の角位置において、前記付加的フィンガー（１０）による前記付加的カム（２０）へのアクセスを防ぐように構成する
ことを特徴とする請求項３に記載の万年暦機構（１００）。
【請求項５】
前記日毎カウントダウン機構（３００）は、三十一カム（４）を有し、
この三十一カム（４）は、前記三十一車（３１）と一体化されて回転し、前記カレンダー機構（７００）が備える回転するリフティングレバー（１２）が備えるフィーラスピンドル（５１２）と連係し、
前記三十一カム（４）は、その面の１つを越えて突き出ており、前記安全機構を形成する偏差要素（４０）を有し、
この偏差要素（４０）は、前記三十一カム（４）の角位置に応じて、前記付加的フィンガー（１０）による前記付加的カム（２０）の輪郭（２２、２３）へのアクセスを可能にするか又は防ぐ
ことを特徴とする請求項４に記載の万年暦機構（１００）。
【請求項６】
前記差動機構（５００）は、差動軸（Ｄ２）を軸として回転するようにマウントされるメインアーバー（８４）と歯付き遊星キャリアプレート（８２）を有する遊星ギア差動機構であり、
前記メインアーバー（８４）の下側部分は、駆動車（９２）と噛み合う軸車（８３）と一体化されており、この駆動車（９２）は、日軸（Ｄ１）を軸として前記三十一車（３１）と共軸であって一体化されており、
前記メインアーバー（８４）の上側部分は、軸ピニオン（８５）を支えており、
前記歯付き遊星キャリアプレート（８２）は、前記メインアーバー（８４）の肩部を軸として自由回転するようにマウントされており、
前記歯付き遊星キャリアプレート（８２）は、その歯を介して、前記付加的カム（２０）と一体化されている付加的ピニオン（２１）と噛み合い、
前記付加的カム（２０）は、前記日軸（Ｄ１）を軸として回転するようにマウントされている可動な日付調整カムであり、
前記歯付き遊星キャリアプレート（８２）は、中心からずれている遊星アーバー（８７）を支えており、
前記遊星アーバー（８７）は、自由回転するようにマウントされた遊星ピニオン（８６）を支えており、
前記遊星ピニオン（８６）は、一方では、前記メインアーバー（８４）の前記軸ピニオン（８５）と噛み合い、他方では、歯付きクラウン（３０）と噛み合い、
この歯付きクラウン（３０）は、前記読み取り用リフティングレバー（３）と一体化されており、前記遊星ピニオン（８６）とのみ噛み合い、これによって、前記歯付きクラウン（３０）の前記差動軸（Ｄ２）に対するセンタリングを確実にする
ことを特徴とする請求項２〜５のいずれかに記載の万年暦機構（１００）。
【請求項７】
請求項１に記載の万年暦機構（１００）が備える万年レバー（２）を作動させる機構の日付が変わる時点における日毎の解放を制御するように構成する計時器用ムーブメント（２００）を有する計時器用機構（８００）であって、
前記カレンダー機構（７００）によって制御される日付表示手段（４１２）を少なくとも有する表示機構（４００）を有する
ことを特徴とする計時器用機構（８００）。
【請求項８】
請求項７に記載の計時器用機構（８００）を有する
ことを特徴とする計時器（１０００）。
【発明の詳細な説明】
【技術分野】
【０００１】
本発明は、万年暦機構が備える万年レバーを作動させる機構の日付が変わる際の日毎の解放を制御するように構成する計時器用ムーブメントを有する計時器用の万年暦機構に関する。
【０００２】
本発明は、さらに、このような万年暦機構が備える万年レバーを作動させる機構の日付が変わる際の日毎の解放を制御するように構成する計時器用ムーブメントを有し、カレンダー機構によって制御される日付表示手段を少なくとも有する表示機構を有するような計時器用の機構に関する。
【０００３】
本発明は、さらに、このような計時器用機構を有する計時器に関する。
【０００４】
本発明は、機械的な腕時計におけるカレンダー表示機構の分野に関し、特に、万年暦の表示に関する。
【背景技術】
【０００５】
最も伝統的な日付計時器が、特に、文献「Ｌｅｓ  ｍｏｎｔｒｅｓ  ｃｏｍｐｌｉｑｕeｅｓ（複雑な腕時計のガイド）」（Ｆｒａｎｃｏｉｓ  Ｌｅｃｏｕｌｔｒｅ著、スイス国ビエンヌのＥｄｉｔｉｏｎｓ  Ｈｏｒｌｏｇｅｒｅｓによる出版）に記載されている。
【０００６】
即時日付機構において、曜日、月及び日付用の星形車はすべて、万年レバーに備えられ、計時器用ムーブメントのプレートまたはブリッジにピボットマウントされており、かつ、急な運動で日付が変わった場合の日付変更機能をくちばし部と２つの爪の作用によって正確な時点に実現するような、同じ万年レバーによって作動される。このような飛びは、真夜中ごろに行われる。
【０００７】
この万年レバーは、くちばし部の１つが月カムの第１のセクターに当接するような休止位置にばねによって戻される。この月カムは、年当たり１回転する１２の歯を備えた月の星形車又は４年で１回転する４８の歯を備えた星形車によって支えられる。この月カムの半径は、当該月の日の数を表すものであって、これは、深さが大きいこともあり小さいこともあるようなノッチの形態、又は多かれ少なかれ突き出ている部分の形態である。
【０００８】
この万年レバーは、ムーブメントに接続され２４時間で１回転する車によって不意に回転するために作られ、この車は、ばねによって戻されるレバーにマウントされたローラーに当接させてハート形の部品を駆動するためのピンを支えている。このハート形の部品が先端を通ると、万年レバーのくちばし部を駆動するフィンガーの急な運動をトリガーさせる。
【０００９】
その回転運動の際には、万年レバーは、月カムから離れ、その運動を終わる際に月カムに道節するように戻る。これは、回転が当該月に生じた場合には、同じ位置に戻り、あるいは日付変更時に作動されたときに月カムが回転した場合には、月カムの第１のセクターの隣のセクターに当接するような位置に戻る。
【００１０】
万年レバーの別のくちばし部が曜日の星形車の回転を制御する。日の連続が無期限であるので、特定の機構は必要ではない。なぜなら、この星形車の位置を１ステップずつ増分することで十分であるからである。
【００１１】
３１の歯を備えた三十一星形車の回転は、３１の爪の最初の爪によって達成される。この爪は、万年レバーにピボットマウントされ、この爪の回転は、レバーに固定されたピンによって制限されている。この三十一星形車は、両方がスネールカムである第１のカム及び第２のカムと一体化されて回転する。
【００１２】
第１のスネールカムは、回転する月レバーが備える第１のフィーラスピンドルと連係するように構成する。この月レバーは、ばねによって第１のカムの方へ戻される。この第１のカムの機能は、月レバーを適切な時に落とすことである。このために、月レバーは、フィーラスピンドルとは反対側に第２のフィーラスピンドルを有し、この第２のフィーラスピンドルは、１２の歯を備えた月星形車と連係し、フィーラスピンドルがスネールカムの大きな半径の部分から小さな半径の部分まで落ちたときに月星形車を１つの歯の分押すように構成する。
【００１３】
第２のスネールカムは、万年レバーによって支えらればねによって万年レバー上で休む単一のノッチを有する。このノッチに対して、月末調整用爪と呼ばれる第２の爪が作用する。この第２の爪は、３１日よりも少ない数の日しかない月のみに機能する。
【００１４】
２８日しかない２月の末日においては、万年レバーのくちばし部は、月カムの最も深いノッチにあり、そして、この月の２７日から２８日に変わる際には、第２の爪が第２のスネールカムのノッチに係合する。万年レバーのこの特定のセッティングによって、万年レバーがその月の２８日の真夜中ごろに飛ぶ際に、第２の爪が三十一星形車の４つの歯をともに駆動することを可能になる。同時に、第１のスネールカムは、月レバーの回転を作動させる。この月レバーは、月星形車、したがって、月カムを駆動し、翌月（この場合、３月）に対応するセクターへと移る。結果的に、万年レバーは、第２の爪の落ちが４日遅れるように３月には新しい休止位置となる。したがって、３月２８日から４月１日までは、この第２の爪は、三十一星形車の１つの歯を１回駆動するだけである。
【００１５】
同様に、３０日の月に対応する月カムのノッチは、当該月の３０日の夜に第２の爪が三十一星形車の２つの歯を駆動するように構成する。
【００１６】
同様に、閏年に２９日ある２月の月カムのノッチは、第２の爪が２９日の夜に三十一星形車の３つの歯を駆動するように構成する。
【００１７】
この実績のあるシステムは、即時万年日付機構の適正動作を確実にするために２つの爪を必要とする。
【００１８】
ＤＵＢＯＩＳ  ＆  ＤＥＰＲＡＺ  ＳＡ名義のスイス特許出願ＣＨ６６０４４０Ａ３は、ムーブメントによって駆動される大きなレバーを有し、５つのフィンガー及び１つの爪を有するような万年暦機構を開示している。この爪は、三十一日車に固定されるスネールカムの周囲に当接する。この車は、四十八月車と連係することができるアクチュエーティングフィンガーを支える。第１のフィンガーは、レバーの一端で形成され、アクチュエーティングフィンガーの経路に置かれ、このアクチュエーティングフィンガーは、二十四時車によって支えられたピンによって駆動することができる。このアクチュエーティングフィンガーは、万年日付機構を作動させるカムを形成する凸状の背部を支える。閏年では、閏年カムが備えるレバーとフィンガーが接触し始める。第３のフィンガーは、十二月カムと連係する。駆動くちばし部を形成する第４のフィンガーは、スネールカムを支える三十一日車の歯と連係し、この第４のフィンガーは、毎日はたらき、他方、レバーによって支えられた爪は、月末においてのみはたらく。第２の駆動くちばし部を形成する第５のフィンガーは、七日星形車と連係する。この構造によって、中断は、１つの飛びで数日間（１日から２７日まで）発生するのか又はいくつかの飛びで数日間（２８日から３１日まで）発生するのかに応じて異なる。結果的に、トルクが不規則的に使用され、機構のふるまいは進行中の月の長さによって異なる。
【００１９】
ＭＯＮＴＲＥＳ  ＢＲＥＧＵＥＴ  ＳＡ名義の欧州特許出願ＥＰ２５０３４１１は、カレンダー機構が備える万年レバーの回転運動を１日に１回制御するように構成するムーブメントを有する計時器用のカレンダー機構について記載している。この機構は、万年十二カムを駆動する手段を有し、これは、各月の期間に応じて異なる半径方向の寸法を有する連続する月に対応する１２のセクターを有し、１年当たり１回転する。また、この機構は、１つの爪を有し、１つの爪フィンガーを有する。これは、万年レバーにヒンジ付けされており、三十一ラチェット車が備える歯と直接連係するように構成する。この三十一ラチェット車は、直接又は間接的にカレンダー表示手段を制御する三十一スネールカムの回転軸のまわりを一体化されて回転する。カウントダウン機構の位置を決める第２のカムは、現在の月及び現在の日に応じて爪フィンガーと車の間の連係の継続期間を調整するように構成し、作動させる車の歯の数を毎日決める。万年十二カムが備えるピンの位置に応じて万年十二カム上の現在の月の期間を測定するカウントダウン機構によって、爪フィンガーのくちばし部と、三十一ラチェット車との間の連係を制限したり防いだりすることが可能になる。
【００２０】
ＲＯＧＥＲ  ＤＵＢＵＩＳ名義の欧州特許出願ＥＰ１３４９０２０Ａ１は、大きなフォーマットのディスプレー及び即時飛び機構を備えたカレンダー計時器を開示している。これは、時間指示トレーンと、及び３１の歯を備えた車を有するカレンダー車セットとを有する。また、１０の歯を備えた単位ピニオンを駆動するための３０の歯と１つの歯に対応する空隙を備えた単位車と、及び４つの歯を備えた十の位用星形車を駆動するための４の歯を備えた車とを有し、１２の歯を備えた車と一体化されている年カムと、時間指示トレーンに接続され、月当たり１回転、カレンダー車セットを駆動し、年当たり１回転、年カムを駆動する駆動手段を有する。これにおいて、カレンダー車セットは、訂正要素と一体化されており、駆動手段は、時間指示トレーンに接続された車と一体的であって１日当たり１回転する即時飛びカムと、引き込めることができる駆動フィンガーを装備した駆動レバーと、即時飛びカムに対して駆動レバーを押す弾性手段と、訂正要素と噛み合う引き込めることができる駆動フィンガーを有する訂正レバーと、年カムの位置を検出するように意図されたフィーラスピンドルと、及びこれらのレバーを互いに接続するための弾性手段とを有し、フィーラによって検出される年カム位置の関数として、訂正要素と噛み合う訂正レバーの引き込めることができる駆動フィンガーを選択的に配置する。
【００２１】
ＲＯＴＨ  ＆  ＧＥＮＴＡ名義の欧州特許出願ＥＰＥＰ１５２４５６４Ａ１は、少なくとも１つの月カムを有する年次又は万年暦表示機構を有する計時器について記載している。この機構は、さらに、月の日数を表示するための可動要素を有し、これは、少なくとも１つの固定インジケーター要素及び可動インジケーター要素を月カムに接続するための接続に対して動くことができる。これによって、毎月、この月の日数を表示する可動要素は、固定インジケーター要素に対して、月カムの位置の特徴を有する位置を占める。
【発明の概要】
【発明が解決しようとする課題】
【００２２】
本発明は、わずかの構造の改変で、従来のカレンダー機構の代わりに挿入するのが容易であるような非常に信頼できる万年暦機構を作ることを提案するものである。
【課題を解決するための手段】
【００２３】
このために、本発明は、請求項１に記載の計時器用の万年暦機構に関する。
【００２４】
本発明は、さらに、請求項７に記載の計時器用機構に関する。
【００２５】
本発明は、さらに、このような計時器用機構を有する計時器に関する。
【００２６】
添付図面を参照しながら下記の詳細な説明を読むことで、本発明の他の特徴及び利点を理解することができるであろう。
【図面の簡単な説明】
【００２７】
【図１】本発明に係る万年暦機構の概略上面図を示す（図の透過性の左の部分は、差動機構と連係するカウントダウン機構を示している）。これにおいて、休止位置と作動位置の２つの位置にある操作フィンガーを示している。
【図２】図１の機構の日軸及び差動軸のまわりの詳細な部分的な概略断面図を示す。
【図３】図１の機構の部分的な上方からの概略斜視図を示す。
【図４】図３と同様な図であるが、１８０°回転している。
【図５】図１の機構の下からの部分的な概略斜視図を示す。
【図６】図１の機構が備える月末調整機構を有するカウントダウン機構の詳細の下からの部分的な概略斜視図を示す。
【図７】図３と同様な図であるが、異なる角度からのものである。
【図８】図５と同様な図であるが、１８０°回転しており、異なる角度からのものであって、側面図に近い。
【図９】図７と同様な図であるが、別の角度からのものであり、リフティングレバーを取り除いた後のものである。
【図１０】図７と同様な図であるが、異なる角度からのものである。
【図１１】図６と同様な上面図であるが、図１の機構が備える月末調整機構及び日毎カウントダウン機構のカムの別の相対的な角度位置のものである。
【図１２】変種の１つの上面図であり、月末調整機構は、サプライズ部品を有する。
【図１３】４８のセクターを備えた四年カムの上面図である。
【図１４】計時器用機構を有する計時器（特に、腕時計）を示すブロック図である。これは、計時器用ムーブメント及び前記万年暦機構を１つ有する。
【発明を実施するための形態】
【００２８】
本発明は、既知の機構よりも容易に計時器内において構成することができる日付機構を提示するものであり、特に、この機構は、複雑な機構によって密集していない腕時計の周領域において構成することができる。
【００２９】
本発明は、後退することができるか即時的であるかどうかにかかわらず、カレンダー表示に適用可能である。
【００３０】
本発明は、通常の日付機構を万年暦機構に変えるために既存の機構に容易に組み入れられることを意図して考えられた。
【００３１】
本発明は、計時器１０００用の万年暦機構１００に関し、これは、この万年暦機構１００のムーブメントを制御する計時器用ムーブメント２００を有する。
【００３２】
この万年暦機構１００は、様々なリフティングレバー及び他のレバーを有する。その形態は、ここでは単に説明のために示したものであり、これらは、実質的に、計時器が備える他の複雑な機構によって、また、いずれの干渉も防ぐ要求によって、決まるものである。これは、実際の機能に必要なものよりも複雑な形態をもたらしうる。
【００３３】
同様に、本発明は、任意の所望の周期に適合することができることを理解できるであろう。当業者であれば、ここで具体的に設定した日の周期を変える方法をわかるであろう。同様に、本発明は、２８〜３１日の月が１年当たり１２あるようなここで記載した制御メンバーを、いくつかの異なる周期及び異なる継続時間の振幅を有する他の制御要素に置き換えることによって、特定のカレンダーに使用することができる。例えば、太陰暦などのカレンダーである。
【００３４】
本出願人による欧州特許出願ＥＰ２５０３４１１の内容を参照によって本明細書に組み入れる。既知の方法、特に、この欧州特許出願ＥＰ２５０３４１１に記載の方法では、ムーブメント２００は、万年暦機構１００が備える万年レバー２の回転運動を１日当たり１回させるように構成する。好ましい実施形態においては、図に示すように、万年暦機構１００は、通常の年又は閏年の２月の期間を調整する機構を有する。別の変種においては、よく知られている世紀の最後の年の場合も調整する機構を有する。
【００３５】
本発明に係る万年暦機構１００は、現在の月の期間を決め、日毎カウントダウン機構３００によって現在の月が変わるごとに更新されるように構成するカレンダー機構７００と、及び毎日の日付が変わる時点において、日毎カウントダウン機構３００及びカレンダー機構７００の両方から得られた情報に基づいて日毎カウントダウン機構３００の運動を制御するように構成する差動機構５００とを組み合わせる。
【００３６】
より詳細には、万年暦機構１００は、カレンダー機構７００と、月末調整機構６００を有する日毎カウントダウン機構３００と、及び差動機構５００とを有し、カレンダー機構７００は、現在の月の期間を決めるように構成し、日毎カウントダウン機構３００によって現在の月が変わるごとに更新され、差動機構５００は、毎日日付が変わる時点において、日毎カウントダウン機構３００から得られた現在の日についての情報及びカレンダー機構７００から得られた現在の月の期間についての情報に基づいて、月末調整機構６００の車セットの運動を制御するように構成する。
【００３７】
カレンダー機構７００は、好ましくは、通常の部品、特に、以下において「月カム」９と呼ぶ万年十二カムを有する。これは、月軸Ｄ４のまわりを回転し、以下のいくつかの異なる形態をとることができる。
−  図１〜１２に示すように、連続する月に対応する１２のセクターを有するカムであって、これは、各月の期間に応じて異なる半径方向の寸法を有し、１年当たり１回転し、カムによって支えられた閏年カム７９と組み合わさって、現在の年の２月の期間を決めるもの、又は
−  図１３に示すように、閏年を含む４年の期間にわたる連続月に対応する４８のセクターを有する四年カム、又は
−  別の形態
である。
【００３８】
以下に示すように、この月カム９は、万年暦機構１００自身によって駆動され、１年当たり１回転する。
【００３９】
閏年カムを使用する変種では、月カム９は、４つの歯を備える閏年車及び１２の歯を備えるラチェット車と共軸であって月軸Ｄ４を軸とする。月カム９は、マルタ十字カムなどの閏年カムを支え、この閏年カムの回転は、４つの歯を備えた閏年車によって制御される。このような月カム９及び閏年車で形成されるアセンブリーは、月表示インジケーターを支持ないし駆動する。
【００４０】
月カム９は、ジャンパーばね８９によって所定位置に保持される月ラチェット６９と一体化されて回転する。月カム９は、図１において円で囲って示した２８／２９／３０／３１の日数の期間に対応する一連の異なる経路を示した単純化された説明用の表現として図において示した。当然、カレンダー機構７００には、通常の月のシーケンス及び月の期間調整を行う伝統的な月カムを組み入れることもできる。
【００４１】
カレンダー機構７００は、さらに、既知の手法で、軸Ｄ５のまわりを回転するリフティングレバー１２を有し、これは、ばね（図示せず）によって戻される。このリフティングレバー１２は、フィーラスピンドル５１２を支える。これは、日毎カウントダウン機構３００に備えられ、「三十一カム」４と呼ぶ日付スネールカムの輪郭４２を追跡する。日毎カウントダウン機構３００については、下で詳細に説明する。このフィーラスピンドル５１２は、輪郭４２に含まれる半径方向のランプ４３を通過する際に、三十一カム４の作用の下で、月が変わるごとに、急な飛びを行うように構成する。このリフティングレバー１２は、さらに、フック８を支える。これは、月が変わる際に月ラチェット６９を牽引して、１ステップ進ませるように構成する。
【００４２】
このリフティングレバー１２は、さらに、カレンダー表示インジケーター４１２を動作させるラック９１２を支える。これは、計時器１０００の表示手段４００の一部を形成する。
【００４３】
このようにして、リフティングレバー１２は、日付を連続的に表示し、そのフィーラスピンドル５１２は、三十一カム４の周にて休む。月末には、フィーラスピンドル５１２が三十一カム４の半径方向のランプ４３を飛び越える。このことによって、リフティングレバー１２が軸Ｄ５のまわりに最大に動くときに、月ラチェット６９が回転運動する。これによって、牽引力がはたらく。月ラチェット６９の回転は、これと一体化されている月カム９の回転を引き起こす。
【００４４】
日毎カウントダウン機構３００は、計時器用ムーブメント２００とのインタフェース部分において、万年レバー２を有する。万年レバー２は、計時器１０００のプレート又はブリッジに対して回転し、ムーブメント２００は、１日当たり１回、万年レバー２の急な回転を引き起こす。この万年レバー２は、ムーブメント２００によって駆動されないときには、ばねによって休止位置に戻される。
【００４５】
特定の実施形態において、万年暦機構１００は、万年レバー２の瞬間的な回転を引き起こすように構成する即時機構が真夜中に急な日毎の動作を行うような即時日付機構である。
【００４６】
第１の運動系の例においては、ムーブメント２００の二十四時車のフィンガーとの万年レバー２の日毎の連係によって、万年レバー２を１日当たり１回回転させ、そのアームの１つは、曜日の表示のために、ジャンパーばねによって位置合わせされた七星形車を作動させる。
【００４７】
第１の運動系の例においては、即時機構は、複数のピンを支えるバレルを有し、その各ピンは、万年レバーに備えられるフィーラフィンガーと相互作用するように構成して、万年レバーを瞬間的に回転させる。このようにして、万年レバー２は、万年レバー２のフィーラフィンガーに作用するピンの作用の下で、毎日真夜中に回転する。したがって、本発明は、カレンダー計時器において日付を変えるために通常確保される２２：００の時間から２４：００の時間までの期間を解放する。この期間中は、他の操作は、推奨されないか又は禁止される。
【００４８】
日毎カウントダウン機構３００は、メインフィンガー１を有し、これは、ピボット軸６２において万年レバー２の一端にヒンジ付けされている。このメインフィンガー１は、万年レバー２の日毎の回転の際に、「三十一ラチェット車」３１と呼ぶラチェット車が備える歯と連係するように構成する。この三十一車３１は、三十一スネールカム４と一体化されて日軸Ｄ１のまわりを回転する。メインフィンガー１は、ばね（図示せず）によって戻される。
【００４９】
メインフィンガー１は、月の２８日まで、メインフィンガー１のくちばし部５１を介して、毎日１ステップずつ三十一車３１を回転させる。月末の訂正は、現在表示されている月に応じて変わる。
【００５０】
特定の実施形態において、メインフィンガー１は、ピボット軸６２とくちばし部５１の間で曲がっている。
【００５１】
メインフィンガー１は常に、同じ移動距離となる。
【００５２】
特定の好ましい変種において、三十一車３１は、連続的に回転する後退しない車であるが、本発明は、後退するカレンダーにも後退しないカレンダーにも用いることができる。後退する表示の場合には、この機能は、三十一車３１の下流で行われる。
【００５３】
上で説明したように、三十一カム４は、半径方向のランプ４３を備えたスネール形の周を有する。リフティングレバー１２のフィーラスピンドル５１２は、毎日、この外周上の当該日の位置を把握し、リフティングレバー１２が回転することで、日付表示インジケーター４１２を更新する。
【００５４】
本発明によると、作動を必要とする三十一車３１の歯数を毎日決めるために、日毎カウントダウン機構３００は、月末調整機構６００を有する。この月末調整機構６００は、現在の月及び現在の日の関数として、メインフィンガー１と三十一車３１の間の連係の継続期間を調整するように構成する。
【００５５】
この月末調整機構６００は、特定の実施形態（これに制限されない）において、図１〜１２に示すように、付加的カム２０を有する。この付加的カム２０は、日軸Ｄ１を軸として三十一カム４及び三十一車３１と共軸であるような可動な調整カムであって、その三十一車３１に対する角偏差は変わり、３１日よりも少ない日数の月においては、調整する日数を決める。
【００５６】
この付加的カム２０は、月末調整機構６００が備える付加的フィンガー１０と連係するように構成する。この付加的フィンガー１０は、万年レバー２に応じて回転する。万年レバー２は、メインフィンガー１と同じ形態で、付加的フィンガー１０を１日当たり１回押し、付加的フィンガー１０も常に同じ移動距離を有する。
【００５７】
三十一カム４及び付加的カム２０は両方とも、同じ方向に大きくなるスネール形のカムである。それらのそれぞれは、急な半径方向のランプ４２、４３を有する。
【００５８】
付加的フィンガー１０は、三十一車３１の適切な歯数を駆動することによって、現在の月の日及び期間に応じて、月末の日付調整を制御するように構成する。
【００５９】
メインフィンガー１は、付加的フィンガー１０と三十一車３１と連係して、万年暦作動機能を行う。
【００６０】
毎月の最後の普通の日はその月の２８日である。
【００６１】
２８日の夜に、月末調整機構６００は、以下の特定の動作を行わなければならない。
−  ２８日ある月の場合、翌月（この場合、３月）の初日まで飛ぶためには、４つの歯の調整を行わなければならない。
−  ２９日ある月の場合、翌月（この場合、３月）の初日まで飛ぶためには、３つの歯の調整を行わなければならない。
−  ３０日ある月の場合、翌月まで飛ぶためには、２つの歯の調整を行わなければならない。
−  ３１日ある月の場合、通常の１つの歯の飛びが行われる。
【００６２】
このように、適切な飛びを確実にする運動を付加的カム２０に伝えなければならない。
【００６３】
これを達成するために、本発明の差動機構５００は、日毎カウントダウン機構３００及びカレンダー機構７００の両方から得られた情報に基づいて日毎カウントダウン機構３００を動作させる。より具体的には、差動機構５００は、月カム９と三十一カム４、又は三十一車３１（三十一カム４と三十一車３１どうしは一体化されているので、これらは結局は同じことである）の位置の関数として、付加的カム２０の角位置を制御するように構成する差動機構である。
【００６４】
まとめると、本発明によれば、日毎カウントダウン機構３００は、月カム９と三十一カム４の間の差動機構５００によって制御される。
【００６５】
この機構は、前記の欧州特許出願ＥＰ１３４９０２０Ａ１及び欧州特許出願ＥＰ１５２４５６４Ａ１の従来技術とは異なっている。なぜなら、前者の欧州特許出願ＥＰ１３４９０２０Ａ１では、差動機構は単純な乗算器を形成し、後者の欧州特許出願ＥＰ１５２４５６４Ａ１では、差動機構は、２月の管理にのみ関わっている。本発明では、差動機構５００は、各月の毎日の日付が変わる際に、可動な日付調整カム２０の運動を制御する。
【００６６】
現在の月における日の数を決めるためには、万年暦機構１００は、差動機構５００において、月カム９上の現在の月の期間を測定する読み取り用フィーラスピンドル５３を有する読み取り用リフティングレバー３を備える。
【００６７】
この読み取り用フィーラスピンドル５３は、現在の月に応じて月軸Ｄ４から半径Ｒｍの位置に配置される。この半径Ｒｍは、可変であり、当該月における日の数に依存する。
【００６８】
月が変わるごとに、月ラチェット６９の回転は、月ラチェット６９と一体化されている月カム９の回転を引き起こし、翌月に対応する半径Ｒｍを、対向する読み取り用フィーラスピンドル５３に与える。
【００６９】
本発明によると、この読み取り用フィーラスピンドル３は、差動機構５００の第１の入力を形成する。
【００７０】
この差動機構５００は、遊星ギア差動機構である（これに限定されない）。この差動機構５００は、差動軸Ｄ２を軸として回転するようにマウントされる、以下のものを有する。
−  下側部分が軸車８３と一体化されているメインアーバー８４であって、この軸車８３は、日軸Ｄ１を軸として三十一車３１と共軸であり三十一車３１と一体化されている駆動車９２と噛み合う。
−  メインアーバー８４の上部は、軸ピニオン８５を支える。
−  メインアーバー８４の肩部のまわりを自由に回転するようにマウントされた歯付き遊星キャリアプレート８２であって、遊星キャリアプレート８２は、その歯を介して、可動な日付調整カムと一体化されている付加的ピニオン２１と噛み合い、付加的カム２０は、日軸Ｄ１を軸に回転するようにマウントされており、この付加的カム２０は、その特定の角位置にて付加的フィンガー１０と当接連係するように構成する。
−  歯付き遊星キャリアプレート８２は、中心からずれている遊星アーバー８７を支えている。
−  遊星アーバー８７は、自由回転するようにマウントされている遊星ピニオン８６を支えている。この遊星ピニオン８６は、一方では、メインアーバー８４の軸ピニオン８５と噛み合い、他方では、歯付きクラウン３０と噛み合う。
−  この歯付きクラウン３０は、読み取り用リフティングレバー３と一体化されており、これと数字６の形の部品を形成し、そのテール部の端は、読み取り用フィーラスピンドル５３である。この歯付きクラウン３０は、遊星ピニオン８６とのみ噛み合う。これによって、差動軸Ｄ２に対するセンタリングが確実になる。
【００７１】
差動機構５００の第２の入力は、メインフィンガー１によって位置が合う三十一車３１によって形成される。
【００７２】
差動機構５００の出力は、付加的カム２０で形成され、これは、遊星キャリアプレート８２の誘導された運動によって制御される。
【００７３】
差動機構５００は可逆的であり、入力又は出力を切り替えることができる。この具体例は以下のような場合である。万年レバー２がメインフィンガー１及び付加的フィンガー１０に運動を与える場合に、付加的フィンガー１０が付加的カム２と干渉し、これによって、遊星キャリアプレート８２に回転運動を与え、これが、差動機構５００に入力され、軸車８３に出力され、この軸車８３は、正確な歯数飛ばすために必要な回転運動を与えるように三十一車３１を駆動する。
【００７４】
このようにして、読み取り用フィーラスピンドル５３の半径方向の位置Ｒｍは、毎月、歯付きクラウン３０の特定の角位置を決める。
【００７５】
この歯付きクラウン３０の角位置と、三十一車３１の角位置に直接リンクされる軸車８３の角位置との組み合わせによって、アーバー８７の位置が決まる。これは、軸車８３と噛み合いながら歯付きクラウン３０の中で回転する。このようにして、遊星キャリアプレート８２の角位置、したがって、付加的カム２０の角位置が決まる。この付加的カム２０は、付加的ピニオン２１と一体化されており、遊星キャリアプレート８２によって回転制御されている。
【００７６】
まとめると、差動機構の惑星車は、従来の万年暦機構においてこの目的のために用いられる大きなレバーの代わりに、月カムから情報を得る。
【００７７】
付加的フィンガー１０は、三十一カム４の特定の角位置において三十一カム４を駆動するように構成する。
【００７８】
再び、これは、当該月に不用意な訂正がなされることを防ぐためである。このために、月末調整機構６００は、さらに、安全機構を有する。この安全機構は、三十一カム４及び三十一車３１の特定の角位置において、付加的フィンガー１０による付加的カム２０へのアクセスを可能とし、そして、三十一カム４の他の角位置において、付加的フィンガー１０の付加的カム２０へのアクセスを防ぐように構成する。
【００７９】
より詳細には、単純な好ましい一実施形態において、図１〜１１に示すように、三十一カム４は、その面の１つ（ここでは三十一車３１に対向している下側部分）を越えて突き出ている特定の輪郭を有する偏差要素４０を有する。この特定の輪郭は、この安全機構を形成している。
【００８０】
三十一カム４の角位置に応じて、この偏差要素４０は、付加的フィンガー１０のチップ１０２による付加的カム２０の輪郭２２への又は半径方向のランプ２３へのアクセスを可能にするか又は防ぐ。
【００８１】
実際に、特定の位置では、偏差要素４０は、付加的フィンガー１０の下側面１０１に対して斥力をはたらかせて、それによる付加的カム２０の輪郭２２へのアクセスを防ぐ。その際に万年レバー２によって与えられる付加的フィンガー１０の軸方向運動は、付加的カム２０、付加的ピニオン２１及び遊星キャリアプレート８２の角位置に対して影響を与えない。
【００８２】
月末ではない月の１日から２７日までのいわゆる普通の日には、調整フィンガー１０がカム前面２３に合うことはない。調整フィンガー１０は、付加的カム２０の輪郭上を滑り、又は偏差要素４０の平坦部分上を滑る。これは、付加的カム２０の外側輪郭に接する。このようにして、偏差要素４０は、調整フィンガー１０を離して、付加的カム２０を、接触せずに任意の方向、前進方向又は後退方向に、回転させる。このようにして、月が変わる際に付加的カム２０の前面２３が後退方向に動く場合には、偏差要素４０は、翌日に変わる際に付加的フィンガー１０が調整を行うことを防ぐ。例えば、月の１日から３日に日付が不用意に変わることを防ぐ。
【００８３】
月の終わりの日々においては、調整フィンガー１０は、カム前面２３と合い、これを押す。その際に、調整フィンガー１０は、差動機構５００の遊星キャリアプレート８２を回転させ、したがって、三十一車３１のラチェットを回転させる。この推進の際には、偏差要素４０の遠位端４４は、日軸Ｄ１から最も遠くになっており、これが調整フィンガー１０を離す。この調整フィンガー１０は、もはや付加的カム２０の前面２３を捕捉しておくことができない。メインフィンガー１だけが三十一車３１のラチェットを押すことができる。これによって、この三十一車３１は、行われた調整に対応する新しい位置の方に回転する。
【００８４】
まとめると、数日間、調整フィンガー１０は、偏差要素４０の動作によって連結を外され、これによって、調整フィンガー１０が付加的カム２０に対していずれの作用をも行うことを防ぐ。
【００８５】
他の位置において、付加的フィンガー１０は、付加的カム２０の輪郭２２を駆動して、付加的ピニオン２１を回転させて、これによって、遊星キャリアプレート８２を駆動することができる。
【００８６】
図１２に示す特定の代替実施形態において、三十一車３１は、この安全機構を形成するサプライズ部品２９と一体化されており、これは、２つの平坦部分２９０及び２９１によって中断される丸い周を有する（これに制限されない）。
【００８７】
万年レバー２の日毎の作動の際には、前進した位置にて待機していたメインフィンガー１及び付加的フィンガー１０が、メインフィンガー１に対応する三十一車３１の歯の上を後退方向に滑る。そして、場合に応じて、付加的カム２０の周の上及び／又は付加的フィンガー２０用の偏差要素４０の上を滑る。
【００８８】
差動機構５００の存在のために、三十一カム４に対する付加的カム２０の角位置が変わる。なぜなら、この角位置は、現在の日と、読み取り用フィーラスピンドル５３によって月カム９から得られた現在の月の期間に関連する情報に依存しているからである。これらの前面４３及び２３の角偏差は、２８日からの４日間に制限されている。
【００８９】
２つの前面４３及び２３の間の特定の角偏差は、３１日の月に対応するものであって、これに関して、差動機構５００は、月カム９上の読み取り用フィーラスピンドル５３が３０日の位置にあるときには、三十一車３１のラチェット上の２つの歯の調整飛びに対応する角偏差を付加的カム２０の前面２３に与える。この角偏差は、月カム９上の読み取り用フィーラスピンドル５３が２９日の位置にあるときには、３つの歯の調整飛びに対応し、月カム９上の読み取り用フィーラスピンドル５３が２８日の位置にあるときには、４つの歯の調整飛びに対応する。３１日のときの飛びは、当然、１つの歯の飛びである。
【００９０】
本発明は、さらに、計時器用ムーブメント２００を有する計時器用機構８００であって、日付が変わる時点で、このような万年暦機構１００が備える万年レバー２を作動させる機構の日毎の解放を制御するように構成し、カレンダー機構７００によって制御される日付表示手段４１２を少なくとも有する表示機構４００を備えるものに関する。
【００９１】
本発明は、さらに、このような計時器用ムーブメント８００を少なくとも１つ有する計時器１０００、特に、腕時計、に関する。
【００９２】
本発明によって、大規模な変更なしで、従来の日付機構を四十八カムと十二カムの両方を用いる万年暦機構に変換することが可能になる。
【００９３】
本発明は、トルクの引き出しを制限することができるという利点がある。実際に、既知の万年暦においては、１つ又は２つの爪を備えた大きなレバーが、異なる月を訂正するために、大きかったり小さかったりする角度をカバーし、これによって、ムーブメントに対して、大きかったり小さかったりするトルク引き出しを行う。具体的には、２月の場合、従来の万年暦レバーでは、２８日間大きな運動をしている。
【００９４】
また、訂正モードには相当な違いがある。従来の万年暦では、プッシャーは２月には長い距離を動かなければならず、ユーザーが不用意に曜日と日付を誤って合わすこともある。
【００９５】
本発明に係る機構は、この種の誤りをいずれも防ぐことを可能にし、ユーザーは、日と月の表示が正確であることを確かにすることができる。なぜなら、月カムと三十一車の間の日付をずらすことはできないからである。例えば、ユーザーは、２月３０日や６月３１日を手動訂正によって表示することができない。万年暦によっては、三十一車だけを使用して訂正される。このことは、四十八カムとの連結のためには、四十八カム上の正しい月に戻るために三十一車を４７回転させることを手動で行うことが必要である。したがって、前記利点は、些細なことではまったくない。
【００９６】
また、大きなレバーを分離する必要なしに、月カムを訂正することができる。
【００９７】
まとめると、調整が促進され、レバーの移動距離を小さくすることができ、機構を単純、高信頼性、コンパクトにすることができる。
【符号の説明】
【００９８】
１  メインフィンガー
２  万年レバー
３  読み取り用リフティングレバー
４  三十一カム
９  月カム
１０  付加的フィンガー
１２  リフティングレバー
２０  付加的調整カム
２１  付加的ピニオン
２２、２３  輪郭
２３  半径方向のランプ
３０  歯付きクラウン
３１  三十一車
４０  偏差要素
５３  読み取り用フィーラスピンドル
８２  歯付き遊星キャリアプレート
８３  軸車
８４  メインアーバー
８５  軸ピニオン
８６  遊星ピニオン
８７  遊星アーバー
９２  駆動車
１００  万年暦機構
２００  計時器用ムーブメント
３００  日毎カウントダウン機構
４００  表示機構
４１２  日付表示手段
５００  差動機構
５１２  フィーラスピンドル
６００  月末調整機構
７００  カレンダー機構
８００  計時器用機構
１０００  計時器
Ｄ１  日軸
Ｄ２  差動軸
【図１】
2016080700.tif 000003
【図２】
2016080700.tif 000004
【図３】
2016080700.tif 000005
【図４】
2016080700.tif 000006
【図５】
2016080700.tif 000007
【図６】
2016080700.tif 000008
【図７】
2016080700.tif 000009
【図８】
2016080700.tif 000010
【図９】
2016080700.tif 000011
【図１０】
2016080700.tif 000012
【図１１】
2016080700.tif 000013
【図１２】
2016080700.tif 000014
【図１３】
2016080700.tif 000015
【図１４】
2016080700.tif 000016